(57)【要約】【課題】  一枚のフィルム状又は平板状の振動板のボイスコイルを面積の異なる２又は３領域に区分けして２ウェイ又は３ウェイとしたスピーカを、全面駆動型とすることにより構成の簡素化、軽量化、薄型化、高音質化を図る。【解決手段】  フレーム板のほぼ全面に高密度で配置した最大多数の円形磁気ギャップでなる磁気回路と、磁気ギャップの全てに個々に対向しかつ連続するパターンで最大の有効線長を持つボイスコイルを担持する振動板とでなるスピーカにおいて、ボイスコイルを面積の異なる複数の、音域の異なる領域に分けてマルチウェイとする。各領域は一枚の振動板上において併置型と同軸型のいずれとしても良い。領域間の境界線に沿って振動板を固定し、各領域の振動を分離する。【選択図】  図２
2011151599.tif 000002
【特許請求の範囲】
【請求項１】
フレーム板上のほぼ全面に高密度で配置した最大多数の磁気ギャップでなる全面駆動型の磁気回路と、磁気ギャップの全てに対向して連続するパターンで可能な最大の有効線長を持つボイスコイルを担持する振動板とを備え、ボイスコイルを面積の異なる複数の、互いに異なる音域の領域に分けたことを特徴とする薄型全面駆動マルチウェイスピーカ。
【請求項２】
磁気回路はそれぞれ円形の磁気ギャップを包有し互いに隣接して平面上に複数併置整列させてなり、ボイスコイルが各磁気ギャップの円形の一方の半部ずつを磁気回路の隣接部分で隣の一方の半部に連結して列の一端から磁気ギャップの円形のなぞり書きを始め、列の他端で他方の半部に折り返して同様のなぞり書きを、始めの一端の磁気ギャップで書き終わる一筆書きで交差させることなく繋ぐ線に沿って形成してなることを特徴とする請求項１記載の薄型全面駆動マルチウェイスピーカ。
【請求項３】
ボイスコイルの複数の領域を、面積の大きい低音用と、面積の小さい高音用の２つの領域、又は、大面積の低音用と、中面積の中音用と、小面積の高音用の３つの領域としたことを特徴とする請求項１又は２記載の薄型全面駆動マルチウェイスピーカ。
【請求項４】
ボイスコイルの複数の領域を振動板上において併置する、又は、同軸に配置することを特徴とする請求項１又は２記載の薄型全面駆動マルチウェイスピーカ。
【請求項５】
フレーム板がボイスコイルの複数の領域の境界線に沿って立ち上がる仕切り壁を備え、仕切り壁はその端面を境界線に沿って振動板に接合することを特徴とする請求項１又は２記載の薄型全面駆動マルチウェイスピーカ。
【請求項６】
それぞれのボイスコイル領域がそれぞれのボイスコイルに対応する入力端を個別に備えることを特徴とする請求項１から５のいずれかに記載の薄型全面駆動マルチウェイスピーカ。
【発明の詳細な説明】
【技術分野】
【０００１】
本発明は主として小型音響機器に内蔵する薄型で小型の、高密度パターン配置の磁気駆動方式による全面駆動スピーカに係り、一枚のフィルム状または平板状の振動板表面を２ないし３領域に分けて２ウェイまたは３ウェイとするマルチウェイ化した薄型全面駆動マルチウェイスピーカに関する。
【背景技術】
【０００２】
従来の方式において、一枚のフィルム状または平板状の振動板を、例えば２ウェイ用とするには、図５（ａ）に示すように、振動板１１の大部分を低音用領域１２とし、残りの小部分を高音用領域１３として、それぞれの表面に例えば環状の低音用ボイスコイルＶＣＷｆと高音用ボイスコイルＶＣＴｗを設置し、これらに環状の磁気回路を対峙させて駆動していた。この場合には、何れの領域１２、１３でもボイスコイルＶＣＷｆ、ＶＣＴｗは振動板の全面を駆動することはできず、局部的な駆動となるため、振動板の振動には分割振動モードが起こって円滑な振動は得られず、使用周波数帯域を十分広く再生することは困難であった。
【０００３】
また、図５（ｂ）に示すように、正方形の振動板２１の中央の小部分を高音用領域２３として小径のボイスコイルＶＣＴｗを配置し、その周辺の大部分を低音用領域２２として大径のボイスコイルＶＣＷｆを、ボイスコイルＶＣＴｗと同心に配置した２ウェイ振動板があった（例えば特許文献１参照）。この場合、低音用大径のボイスコイルＶＣＷｆを、小径ボイスコイルＶＣＴｗによる振動で起きる分割振動の円形の節に対応する部分を駆動することを意図したものとすると、かなり大口径のものとする必要があった。また、同じ意図からすれば、想定周波数帯域内の分割振動モードの数だけ節は生じるから、これと対応する同じ数のボイスコイルを同心に配置する必要があり、それに伴って大型の磁気回路を設けねばならず、全体として複雑な構成となり、これを組み込んだスピーカユニットの寸法と重量は、大型のスピーカシステム並みとなっていた。
【０００４】
上記図５（ａ）および（ｂ）はいずれも平面振動板ユニットを用いた従来のマルチウェイスピーカであるが、本発明が関わる全面駆動型のスピーカをマルチウェイ構成とする試みもあった（特許文献２参照）。この全面駆動型マルチウェイスピーカは、２枚のスチール板の対向面のそれぞれに複数の細長い磁石を平行に、隣接方向には交互に極性を変え、空隙を置いた対向方向には極性を同じにして配列し、空隙の中間部に配置した振動板の表面に磁石と平行して線状に設けたボイスコイルを磁石間空隙中央に位置させ、全面の磁石列のうち、中央部分とその側方部分における磁石とボイスコイルの配列密度を変え、周波数帯域を変えるものとしていた。また、これらの部分を高中音用の一体ユニットとし、別に設けた低音用ユニットと組合せてスピーカユニットとしていた。この構成は、対向する磁石列を２段とし、それらの間に振動板とボイスコイルを配する３段構成であり、その段数を減じることは不能であって、それ以上の薄型化を図ることはできなかった。また音域を変えるためには磁気回路とボイスコイルの配列密度を変えており、特に高音用の部分は高密度化を要し、構成の簡素化と軽量化の点に問題があった。
【先行技術文献】
【特許文献】
【０００５】
【特許文献１】特開昭６０−１７７７９８号公報
【特許文献２】特開昭６０−１８７１９９号公報
【発明の概要】
【発明が解決しようとする課題】
【０００６】
本発明は、一枚のフィルム状または平板状の振動板のボイスコイルを大小の２領域、または大中小の３領域ごとに分けて配置して２ウェイ、３ウェイを含むマルチウェイスピーカを、全面駆動型とすることによって構成を簡素化し、軽量化し、薄型化し、低コスト化し、しかもより高音質化することを可能とすることを目的とする。
【課題を解決するための手段】
【０００７】
課題を解決するために、本発明による薄型全面駆動マルチウェイスピーカは、フレーム板上のほぼ全面に高密度で配置した最大多数の磁気ギャップでなる全面駆動型の磁気回路と、磁気ギャップの全てに対向して連続するパターンで可能な最大の有効線長を持つボイスコイルを担持する振動板とを備え、ボイスコイルを面積の異なる複数の、互いに異なる音域の領域に分けたことを特徴とする。
請求項２において、請求項１記載の薄型全面駆動マルチウェイスピーカは、磁気回路がそれぞれ円形の磁気ギャップを包有し互いに隣接して平面上に複数併置整列させてなり、ボイスコイルが各磁気ギャップの円形の一方の半部ずつを磁気回路の隣接部分で隣の一方の半部に連結して列の一端から磁気ギャップの円形のなぞり書きを始め、列の他端で他方の半部に折り返して同様のなぞり書きを、始めの一端の磁気ギャップで書き終わる一筆書きで交差させることなく繋ぐ線に沿って形成してなることを特徴とする。
請求項３において、請求項１又は２記載の薄型全面駆動マルチウェイスピーカは、ボイスコイルの複数の領域を、面積の大きい低音用と、面積の小さい高音用の２つの領域、又は、大面積の低音用と、中面積の中音用と、小面積の高音用の３つの領域としたことを特徴とする。
請求項４において、請求項１又は２記載の薄型全面駆動マルチウェイスピーカは、ボイスコイルの複数の領域を振動板上において併置する、又は、同軸に配置することを特徴とする。  
請求項５において、請求項１又は２記載の薄型全面駆動マルチウェイスピーカは、フレーム板がボイスコイルの複数の領域の境界線に沿って立ち上がる仕切り壁を備え、仕切り壁はその端面を境界線に沿って振動板に接合することを特徴とする。
請求項６において、請求項１から５のいずれかに記載の薄型全面駆動マルチウェイスピーカは、それぞれのボイスコイル領域がそれぞれのボイスコイルに対応する入力端を個別に備えることを特徴とする。
【発明の効果】
【０００８】
本発明によれば、振動板のほぼ全面に付いてそれぞれ小型化され高密度に配列した最大多数の磁気ギャップと、これら磁気ギャップに対応するパターンで可能な最大有効線長のボイスコイルとを組合わせた全面駆動型のスピーカを用い、一枚の振動板に配列するボイスコイルを互いに面積の異なる二つ又は三つの領域に分けることにより２ウェイ又は３ウェイスピーカを形成したので、各領域ごとに全面駆動が行われ、従来の非全面駆動方式による場合に生じる分割振動モードを伴わない高音質のマルチウェイスピーカを、簡素化、軽量化、薄型化、低コスト化した構成で実現することができる。
【図面の簡単な説明】
【０００９】
【図１】図１（ａ）は本発明による薄型全面駆動マルチウェイスピーカに用いる磁気回路をなす高密度配列の磁気ギャップのパターンを示す平面図、図１（ｂ）は図１（ａ）の磁気ギャップと組合せる振動板とそのボイスコイルの基本パターンを示す平面図を示す。
【図２】図２は本発明による薄型全面駆動マルチウェイスピーカの実施例１における併置形２ウェイスピーカをなす振動板とそのボイスコイルの平面図を示す。
【図３】図３は本発明の実施例２における同軸形２ウェイスピーカをなす振動板とそのボイスコイルの平面図を示す。
【図４】図４は本発明の実施例３における同軸形３ウェイスピーカをなす振動板とそのボイスコイルの平面図を示す。
【図５】図５（ａ）は従来の非全面駆動方式の場合における併置型２ウェイスピーカの振動板とそのボイスコイルを示す平面図、図５（ｂ）は同じく非全面駆動方式の場合の同軸形２ウェイスピーカの振動板とそのボイスコイルを示す平面図を示す。
【発明を実施するための形態】
【００１０】
本発明の薄型全面駆動マルチウェイスピーカの全面駆動方式は、本出願人による先の出願、特願２００９−０８８９４６、に記載の本発明者による「全面駆動スピーカ」に係る発明に基づくものであり、従来の全面駆動方式よりも更に高密度化し、有効線長を増したパターン配列の磁気ギャップとボイスコイルによって、分割振動モードの発生を抑制するものである。
【００１１】
この「全面駆動スピーカ」が採用する駆動方式の概要を図１に基づいて説明する。図１（ａ）において、二重円で示すように、小径化した多数の円形磁気回路ＭＣが密接してフレーム板のほぼ全面に、ｍ行ｎ列の形で配列される。二重円間の空隙で表される磁気ギャップＭＧは、内磁型または外磁型の磁気回路ＭＣによって、要求されるスピーカの寸法と性能に応じて選択される径と数で用意される。
【００１２】
図１（ｂ）は磁気回路ＭＣのｍ行ｎ列をいわゆる一筆書きでたどるパターンで、例えばポリイミドフィルムでなる振動板１上にプリント配線したボイスコイルＶＣを示し、磁気ギャップＭＧの円形の、それぞれの隣接部分で分けた半円の一方を列の一端からたどり始め、隣接部分で次々に隣のギャップの一方の半円につなげ、列の他端において他方の半円に連結して再び隣接部分で次々と隣の他方の半円につなげ、列のはじめの一端に到達するまで交差することなく、磁気ギャップＭＧの連続円をたどることによって得たパターンである。組み立て状態において、ボイスコイルＶＣの一対の半円ごとに磁気ギャップＭＧの各々の円形と対峙させて、振動板１を磁気回路ＭＣに対向させる。全面のボイスコイルＶＣはこのようにして１本のワイヤで構成され、その始端と終端が併置され、振動板の一隅に入力端として引き出される。
【実施例１】
【００１３】
図２は、本発明による薄型全面駆動マルチウェイスピーカの実施例１における併置型２ウェイスピーカの振動板１上のボイスコイルパターンを示す。ボイスコイルＶＣは振動板１上で面積の異なる二つの領域２及び３に分けられ、それぞれ別の一筆書きパターンとする。面積の大部分を占める領域２が低音域用のボイスコイルとして、小面積の領域３が高音域用のボイスコイルとして作用することとなり、それぞれの始端と終端を低音部入力端Ｗｆおよび高音部入力端Ｔｗとして引き出す。領域２および３の境界線４に対応して、磁気回路ＭＣを担持するフレーム板から仕切り壁（図示しない）を立ち上げ、その端面を境界線４に沿って振動板１に接合、望ましくは接着して、それぞれの領域の振動が混じらないようにする。なお、高音用領域３の形状は音響変換効率上、図示のように正方形とすることが好ましいが、振動板１を横切る矩形とすることもできる。
【実施例２】
【００１４】
図３は、本発明による薄型全面駆動マルチウェイスピーカの実施例２として、同軸形２ウェイスピーカの振動板１上のボイスコイルパターンを示し、ボイスコイルＶＣは中心に位置する小面積の高音域用の領域３と、その周囲を取り巻く大面積の低音域用の領域２に分けられ、それぞれの始端と終端が高音部入力端Ｔｗおよび低音部入力端Ｗｆとして引き出される。両領域２および３の境界線４は、図示しないフレーム板の仕切り壁端面に接着固定され、それぞれの振動が混ざらないようにする。図ではボイスコイルＶＣと振動板１を正方形で示したが、これらを矩形とすることもできる。
【実施例３】
【００１５】
図４は本発明による実施例３の、薄型全面駆動マルチウェイスピーカを同軸形３ウェイスピーカとするための振動板１とそのボイスコイルＶＣのパターンを示し、ボイスコイルＶＣは、中央の小面積正方形内の９個のボイスコイル円を含む高音域用領域３と、その四辺を囲む１２個のボイスコイル円を含む中音域用領域５と、更にその外周四辺を取り囲む５２個のボイスコイル円を含む低音域用領域２に分けられ、それぞれの始端と終端を高音部入力端Ｔｗ、中音部入力端Ｍｉｄ、および低音部入力端Ｗｆとして１箇所に引き出し、低音域用領域２と中音域用領域５の間の境界線４ａおよび中音域用領域５と高音域用領域３の間の境界線４ｂに沿って振動板１をフレーム板の仕切り壁端面に接着固定して、各領域が別個に振動して振動が混じらないようにする。
【００１６】
なお、各領域２、３および５についてボイスコイル円の数を述べたが、これは各領域の面積の相違を示すためであり、これらの数に限定するものでなく、また、振動板１ないしボイスコイルＶＣも図示の正方形に限定されるものではなく、何れの実施例も含めて、他の形状、いずれかの多角形、円形、楕円形とすることも可能である。
【符号の説明】
【００１７】
ＭＣ    磁気回路
ＭＧ    磁気ギャップ
ＶＣ    ボイスコイル
１    振動板
２    低音域用領域
３    高音域用領域
４    境界線
５    中音域用領域
４ａ  境界線
４ｂ  境界線
Ｔｗ    高音部入力端
Ｗｆ    低音部入力端
Ｍｉｄ  中音部入力端
【図１】
2011151599.tif 000003
【図２】
2011151599.tif 000004
【図３】
2011151599.tif 000005
【図４】
2011151599.tif 000006
【図５】
2011151599.tif 000007